(57)【特許請求の範囲】
【請求項１】
四周外壁に多数の孔を所定の間隔を置いて開設したコンクリート製の上面を開放した有底函体の内側に直方形状の鋼鉄製ガイド枠を挿入設置し、該ガイド枠の対向する内側二面には函体内に設置するコンクリート多孔板による仕切り板の枚数に相応する本数の断面コ字形のガイド板をそのガイド溝が互いに対面するように所定間隔で上下方向に取付固定され、この対面するガイド溝内に上記仕切り板の両側縁を案内嵌挿して該仕切り板により函体内を横方向に複数室区画してなり、少なくとも函体の上記四周外壁の各孔は育成中の対象魚介類は自由に出入りできるが、人が手を差し込んだときに函体内の魚介類をつかみ出すことはできない程度の大きさに構成され、上記函体の上面にはコンクリート板よりなる無孔の上蓋を載置閉塞してなることを特徴とする人工育成礁。
【請求項２】
前記函体を形成する外壁は直方形状に組立て溶接した鋼鉄製フレームの外側四周に多数の孔を所定の間隔を置いて開設したコンクリート板をボルト止めされてなり、また函体の底版は上記鋼鉄製フレームの下面に無孔のコンクリート板をボルト止めされて構成されてなる請求項１記載の人工育成礁。
【発明の詳細な説明】
【０００１】
【発明の属する技術分野】
本発明は、魚礁、特に魚介類のうち、あわび，さざえ，イセエビ等の小型の高級魚介類のための人工育成礁に関するものである。
【０００２】
【従来の技術】
近年全国各地の漁業体で「資源管理型漁業」が普及しているが、その中であわび，さざえなど種苗を生産して放流を行うものについては、放流海域に自然石を投石して人工的に育成場所を作る方法が一般的に行なわれている。
【０００３】
しかしながら、種苗が漁獲サイズに成長した段階で悪質ダイバー等の密漁者による密漁・盗難が最近急増して、漁業者に甚大な被害をもたらしており、漁業体も警備の強化等、自己防衛を行なっているが、あまり効果が上がらない程に悪質化しているのが現状である。
【０００４】
【発明が解決しようとする課題】
本発明は、このような現状に鑑み、種苗の中間育成やい集（蝟集）機能等の人工魚礁としての機能のほかに、盗難防止機能を併せ持つ人工育成礁を提案するものである。
【０００５】
【課題を解決するための手段】
本発明は、コンクリートの多孔壁により全体箱形に形成し、かつその内部にもコンクリート多孔板による仕切り板を複数枚設置して、各孔は対象魚介類が自由に出入りできるが、人の手は自由には出入りできないような大きさとするものである。以下、本発明の実施の形態を図により説明する
【０００６】
【発明の実施の形態】
図１は本発明の人工育成礁の一例を示す一部切欠斜視図で、１は四周外壁に多数の孔２を所定の間隔を置いて開設したコンクリート製の上面を開放した有底函体で、該函体１は型梓内にコンクリートを流し込んで成形することもできるが、多量生産かつ現場組立を容易とするため、図２に示すように直方形状に組立て溶接した綱鉄製フレーム３の外側に所定の間隔で多数開孔２したコンクリート板（例えば、厚さ１５ｃｍ）を内側からボルト５止めして四周の外壁４を構成し、またコンクリート製の底版６は無孔であり、同じくフレーム３下面にボルト５止めする。
【０００７】
該函体１の大きさは、例えば縦，横，高さそれぞれ１〜２．５ｍ程度であり、外壁４に開設した円形孔２はあわび，さざえ等の対象魚介類が漁獲サイズに成長したときの大きさのものも自由に出入りでき、かつ人が手を差し込んだときにそれをつかみ出すことができない程度の大きさ（例えば、直径８〜１２ｃｍ）である。
【０００８】
７は函体１内を上下に区画するためのコンクリート製の仕切り板で、外壁４より肉厚は薄くてよく、該仕切り板７にも複数の孔７ａが所定の間隔を置いて開設されている。この仕切り板の孔７ａは上記外壁４の孔２と同径でも、またそれより大きく又は小さくてもよく、あるいは大小種々の径とすることもできる。
【０００９】
８は上記仕切り板７を上下所定の間隔を置いて積層するためのスペーサで、図ではサイコロ状のコンクリートブロックを示しており、函体１内で仕切り板７を積み重ねる毎にその四隅に載置するようにする。なお、このスペーサ８はあらかじめ各仕切り板７の下面四隅に一体に形成しておいてもよい。
【００１０】
９は函体１の上面を閉塞するためのコンクリート板よりなる無孔の上蓋で、外壁４と同等又はそれ以上に厚肉である。
【００１１】
四周の外壁４の上端面、底版６の上面並びに上蓋４の上面には、それぞれクレーンのフックにより吊持可能な吊環１０が１個ないし複数個取付けられ、函体１をフレーム３外側に形成するときには、該吊環１０にフレームのフック（図示せず）を掛けて吊持し、フレーム３にボルト５止めして行く。
【００１２】
そして、函体１の製作が完了したら、その内側四隅にスペーサ８を置く毎に仕切り板７を置いて函体１内を複数段の棚板状（図では三段）に構成し、函体１全体をクレーンで吊持しながら所定海域に沈設し、この函体１内にあわび，さざえ等の種苗を入れ、しかる後に上蓋９をクレーンで吊持して函体１上面を閉塞するのである。
【００１３】
図１〜２では、上記のように函体１内を上下に複数区画するために複数枚の仕切り板７を棚板のようにして使用したが、函体１内を横方向に複数室区画することもできる。
【００１４】
図３〜４は、仕切り板７を函体１内に垂直方向に差し込んで函体１内を横方向に複数室形成する例を示すもので、函体１内には該函体１を形成するための前記フレーム３内側面に合致する直方形状の鋼鉄製ガイド枠１１が更に挿入設置される（図４参照）。
【００１５】
該ガイド枠１１の対向する内側２面には、それぞれ設置する仕切り板７の枚数に相応する本数の断面コ字形のガイド板１２をそのガイド溝１２ａが互いに対面するように所定間隔で上下方向に取付固定し、この対面するガイド溝１２ａに仕切り板７の両側縁を案内しながら嵌挿することにより、函体１内を横方向に複数室区画するのである（図３参照）。
【００１６】
しかして、この場合、函体１内を前記と同様にして製作した後、函体１内に上記ガイド枠１１をクレーンにより吊持して設置し、各仕切り板７の上端面には吊環１３を取付けておいて、該仕切り板７をクレーンで吊持しながら相対するガイド板１２のガイド溝１２ａ間に順次差し込んで行くのである。
【００１７】
このようにガイド枠１１を函体１内に設置することにより、仕切り板７を所定間隔で棚板式に積層するための前記スペーサ８が不要となり、組立作業が一層迅速なものとなる。なお、仕切り板７を函体１内に縦方向に差し込んだ後は、あわび等の種苗を函体１内に入れて所定海域に沈設し、最後に上蓋９を載せる点は前記と同様である。
【００１８】
【発明の効果】
本発明の人工育成礁は上述のように構成され、次のような効果を発揮する。
▲１▼  函体を形成する外壁及び内部の各仕切り板に漁獲サイズに成長したあわび，さざえ，イセエビ等の対象魚介類が出入りできる多数の孔が開設され、内外で海水交流できるので、種苗の安定した中間育成を図ることができる。
▲２▼  函体外壁の多数の上記孔は手を差し込んで内部の育成中の魚介類を取り出すことができない大きさであり、上面には重量のあるコンクリート上蓋が載設されているので、密漁者の盗難を防止できる。
▲３▼  函体１への対象魚介類以外の魚介類のい集効果が期待できると共に、種苗を天敵から保護することができる。
▲４▼  現場での組立てが容易で、多量生産にも適し、環境等の変化に応じて沈設位置の変更も容易であり、従来のような自然石の投入による育成方法とは異なり、台風等の異常気象によって簡単に流されて移動するようなこともなく、またこのような育成礁を連続的に設置すれば、波力を軽減する潜堤効果を発揮させることも可能となる。
【図面の簡単な説明】
【図１】本発明に係る人工育成礁の実施例を示す一部切欠斜視図である。
【図２】本発明に係る人工育成礁の函体外壁を形成するために使用するフレームの斜視図である。
【図３】本発明に係る人工育成礁の他の実施例を示す一部切欠斜視図である。
【図４】図３に示す実施例に使用するガイド枠の斜視図である。
【符号の説明】
１−コンクリート製函体
２−孔
３−綱鉄製フレーム
４−外壁
５−ボルト
６−底版
７−仕切り板
８−スペーサ
９−上蓋
１０−吊環
１１−ガイド枠
１２−ガイド板
１３−吊環
【図１】
0003586847.tif 000002
【図２】
0003586847.tif 000003
【図３】
0003586847.tif 000004
【図４】
0003586847.tif 000005